(57)【要約】【課題】本発明の目的は、ブラシモーターの回転数を保証値以下で回転させつつ、音途切れさせることなく高速録音ができる録音装置を提供することである。【解決手段】再生手段は、第１の光ディスクに記録されたデジタルデータを、標準再生速度と第１の再生速度と第２の再生速度とを切替えて再生でき、再生速度制御手段は、第１の再生速度、第２の再生速度および標準再生速度のいずれかに再生速度を制御し、第１の判定手段は、デジタルデータが第１の再生速度で再生されているときに、再生時間が所定時間に達した後であって、かつその再生位置がトラックとトラックとの間であるか否かを判定し、第２の判定手段は、再生位置がトラックとトラックとの間である場合に、トラックとトラックとの間およびその近傍に所定時間以上の無音状態があるか否かを判定し、再生速度制御手段は、上記無音状態がある場合に、再生速度を第１の速度から第２の速度に切替える。【選択図】        図１
2004303297.tif 000002
【特許請求の範囲】
【請求項１】
第１の光ディスクにトラック単位で記録されたデジタルデータを、標準再生速度よりも速い再生速度で、第２の光ディスクに記録する記録装置であって、
前記第１の光ディスクに記録されたデジタルデータを、前記標準再生速度よりも速い第１の再生速度と、当該第１の再生速度よりも速い第２の再生速度とを切替えて再生することができる再生手段と、
前記再生手段が再生したデジタルデータを、前記再生速度に応じた速度で前記第２の光ディスクにトラック単位で記録する記録手段と、
前記第１の再生速度、前記第２の再生速度および前記標準再生速度のいずれかに前記再生手段の再生速度を制御する再生速度制御手段と、
前記デジタルデータが前記第１の再生速度で再生されているときに、前記第１の光ディスクの再生位置が、前記再生時間が所定時間に達した後であって、かつトラックとトラックとの間であるか否かを判定する第１の判定手段と、
前記再生位置がトラックとトラックとの間であると判定した場合に、当該トラックとトラックとの間およびその近傍に所定時間以上の無音状態を示すデジタルデータが存在するか否かを判定する第２の判定手段とを備え、
前記再生速度制御手段は、前記所定時間以上の無音状態が存在すると判定された場合に、前記再生速度を前記第１の速度から前記第２の速度に切替える、録音装置。
【請求項２】
前記デジタルデータには、音声データを示すオーディオデータが含まれており、
前記第２の判定手段は、前記記録手段が前記第２の光ディスクに対して記録中のデジタルデータに含まれるオーディオデータの強度を検出し、当該オーディオデータの強度が所定強度より小さいか否かを判定することで、前記所定時間以上の無音状態を示すデジタルデータが存在するか否かを判定することを特徴とする、請求項１に記載の録音装置。
【請求項３】
前記第２の光ディスクに対して記録されるデジタルデータに含まれるオーディオデータは、それぞれが等長の音声データを含んだ複数のフレームで構成されており、
前記第２の判定手段は、各前記フレーム毎の強度のピーク値を検出することで、当該オーディオデータの強度を検出することを特徴とする、請求項２に記載の録音装置。
【請求項４】
前記第２の判定手段は、前記再生手段が再生したデジタルデータに含まれるオーディオデータの強度を検出して、前記所定時間以上の無音状態を示すデジタルデータが存在するか否かを判定することを特徴とする、請求項１に記載の録音装置。
【請求項５】
前記デジタルデータは、前記第１の光ディスクの再生中のトラックの情報および当該第１の光ディスクの再生時間の情報を含んだサブコードを含んでおり、
前記第１の判定手段は、前記第１の光ディスクの再生中に、前記サブコードを参照して、当該第１の光ディスクの再生時間が所定時間に達した後に、当該再生位置がトラックとトラックとの間に達したと判定したか否かを判定することを特徴とする、請求項１に記載の録音装置。
【請求項６】
前記第１の光ディスクには、各トラックの演奏開始時間の情報がＴＯＣ情報として記録されており、
前記デジタルデータは、前記第１のディスクの再生トラックの情報を含んだサブコードを含んでおり、
前記ＴＯＣ情報を読出す読出し手段をさらに備え、
前記第１の判定手段は、前記読出し手段が読み出した前記ＴＯＣ情報の各トラックの演奏開始時間を参照して、前記第１の光ディスクの再生時間が所定時間に達するトラックを特定し、特定したトラックの次のトラックに再生位置が達したか否かを前記サブコードに含まれる前記再生トラックの情報によって判定することで、当該第１の光ディスクの再生時間が所定時間に達した後に、当該再生位置がトラックとトラックとの間に達したと判定する、請求項１に記載の録音装置。
【請求項７】
前記再生手段は、前記第１の再生速度から前記第２の再生速度に前記再生速度が切替えられた場合には、再生が完了したトラックの次のトラックから前記第２の再生速度で再生を行うことを特徴とする、請求項１に記載の録音装置。
【請求項８】
前記録音手段は、前記第１の再生速度から第２の再生速度に前記再生手段の再生速度が切替えられた場合には、前記第２の光ディスクに録音が完了しているトラックの次のトラックから、録音を開始することを特徴とする、請求項７に記載の録音装置。
【請求項９】
前記再生手段は、前記デジタルデータの再生時に、前記第１の光ディスクから読み出した当該デジタルデータを、前記記録手段に対して出力する前に一時的に蓄積する蓄積手段を含み、
前記再生手段の再生速度が前記第２の再生速度である場合に、前記蓄積手段に蓄積されている前記デジタルデータがなくなったか否かを判定する第３の判定手段をさらに備え、
前記再生速度制御手段は、前記蓄積手段に格納されている前記デジタルデータがなくなったと前記第３の判定手段が判定した場合には、当該再生手段の再生速度を前記第２の再生速度から前記標準再生速度に切替える、請求項１に記載の録音装置。
【請求項１０】
前記第２の判定手段は、前記トラックとトラックとの間の直前において、前記所定時間以上の無音状態を示すデジタルデータが存在するか否かを判定することを特徴とする、請求項１に記載の録音装置。
【請求項１１】
前記第２の判定手段は、前記トラックとトラックとの間に頭出し準備部分として無音状態の領域が存在する場合には、当該空白部分に前記所定時間以上の無音状態が存在すると判定することを特徴とする、請求項１に記載の録音装置。
【発明の詳細な説明】
【０００１】
【発明の属する技術分野】
本発明は、記録装置に関する発明であって、より特定的には、第１の光ディスクにトラック単位で記録されたデジタルデータを、標準再生速度よりも速い再生速度で、第２の光ディスクに記録する記録装置に関する発明である。
【０００２】
【従来の技術】
近年、ＣＤやＤＶＤに代表される複数種類の光ディスクに記録されたデータを本来の再生速度より大きな速度で再生すると同時に、別の書込／書換可能な光ディスクに記録する光ディスク高速再生記録装置が開発されている。
【０００３】
このような光ディスク高速再生記録装置の代表的なものとして、記録元の光ディスクとしてＣＤを用い、書込／書換可能光ディスクとしてＭＤを用いたものを例として、その動作について簡単に説明する。
【０００４】
音楽用或いは非音楽用データが記録されているＣＤが標準再生速度での回転速度よりも高速で回転され、トラックより小さな単位で記録データが読み出されて、所定の記録単位（例えば、読出単位／トラックより小さなデータブロック毎またはＣＤ毎）に、ＭＤに書き込まれる。
【０００５】
ここで、ＣＤ等のディスクでは、記録密度の向上のために、信号は、当該信号が読み出されるときの線速度が一定となるＣＬＶ（Ｃｏｎｓｔａｎｔ  Ｌｉｎｉｅａｒ  Ｖｅｌｏｃｉｔｙ）方式により記録されている。このため、ディスクの記録領域の全域に渡って、一定の線速度が確保できるように、半径が小さい内周部分が再生されるときには、ディスクが高速回転され、半径が大きい外周部分を再生するときには、ディスクが低速回転される。そして、上記ディスクを回転させるためのモーターには、一般的には、ブラシモーターが用いられる。当該ブラシモーターは、安価に入手可能であるというメリットを有する一方で、その回転数の保証値が低いというデメリットを有する。その為、当該ブラシモーターが適用された録音装置は、ディスクの半径の小さな内周部分が高速再生されるときにおいて、ブラシモーターの回転数が上記保証値を容易に超えてしまうという問題を有している。その為、ディスクの最初から最後まで、一定倍速の再生速度でディスクを再生させようとすると限界が生じ、高速再生にブラシモーターを使用することは不可能であった。
【０００６】
これに対して、光ディスク高速再生記録装置のモーターとして、ブラシレスモーターが用いられることが考えられる。当該ブラシレスモーターが用いられることにより、ディスクの回転数を上げることは可能となる。しかしながら、ブラシレスモーターは、ブラシモーターよりも高価という問題がある。
【０００７】
そこで、ブラシモーターが用いられた光ディスク高速再生装置において、ディスクの回転数が高くなる内周部分では、回転数が保証値を越えない範囲であってかつ最高再生速度より遅い一定速度でディスクを高速再生し、ディスクの回転数が低い外周部分では、ディスクの再生速度を最高速に切替えて当該ディスクを高速再生する光ディスク高速再生記録装置が存在する（例えば、特許文献１参照）。これにより、ブラシモーターの回転数を保証値以上にすることなく、ディスクを高速再生できる光ディスク高速再生装置を安価に作成することが可能となる。
【０００８】
【特許文献１】
特開２００２−２９８４９７号公報
【０００９】
【発明が解決しようとする課題】
しかしながら、上記光ディスク再生装置では、光ディスクの内周と外周との境界において、ディスクの再生速度が切替えられるので、その切替え時にシステム全体がリセットされてしまう。その為、当該リセット時に、一旦、録音が途切れてしまい、ディスクに記録された信号の一部が途切れてしまう。その結果、ディスクに記録された信号が連続しているライブ録音などの音楽信号である場合には、音途切れが発生する。
【００１０】
そこで、本発明の目的は、ブラシモーターの回転数を保証値以下で回転させつつ、音途切れさせることなく高速録音ができる録音装置を提供することである。
【００１１】
【課題を解決するための手段】
本発明の録音装置は、再生手段は、第１の光ディスクに記録されたデジタルデータを、標準再生速度よりも速い第１の再生速度と、第１の再生速度よりも速い第２の再生速度とを切替えて再生し、再生速度制御手段は、第１の再生速度、第２の再生速度および標準再生速度のいずれかに再生手段の再生速度を制御し、第１の判定手段は、デジタルデータが第１の再生速度で再生されているときに、第１の光ディスクの再生位置が、再生時間が所定時間に達した後であって、かつトラックとトラックとの間であるか否かを判定し、第２の判定手段は、再生位置がトラックとトラックとの間であると判定した場合に、トラックとトラックとの間およびその近傍に所定時間以上の無音状態が存在するか否かを判定し、再生速度制御段は、所定時間以上の無音状態を示すデジタルデータが存在すると判定された場合に、再生速度を第１の速度から第２の速度に切替える。
【００１２】
本構成により、本実施形態に係る録音装置は、モーターの回転数を保証値以下で回転させつつ、音途切れさせることなく高速録音をすることができる。
【００１３】
ここで、当該請求項における無音状態を示すデジタルデータとは、データ値＝００とは限らずに、ある幅の許容範囲を有する小音量を表すデータ値も含むこととする。
【００１４】
【発明の実施の形態】
（第１の実施形態）
それでは、以下に、本発明の第１の実施形態について、図面を参照しながら説明する。図１は、本発明の第１の実施形態に係る録音装置の全体構成を示したブロック図である。
【００１５】
図１に示すように、当該録音装置は、大別して、ＣＤドライブ１、ＭＤドライブ２、オペレーションコントローラ３、高速録音キー４および表示器５を備える。なお、録音装置には、ＣＤドライブ１およびＭＤドライブ２から読み出された信号に種々の処理を施して、音声信号、映像、或いはコンピュータデータを生成してスピーカやモニター或いは他の記録装置に出力する読出信号処理部も含まれるが、本発明の特徴ではないので、図示および説明を省く。
【００１６】
高速録音キー４は、ＣＤからＭＤへの高速録音をユーザが録音装置に開始させるための入力部である。表示部５は、好ましくは、蛍光表示管等などの発光手段で構成されて、録音装置の動作モードなどの情報を光学的にユーザに提示する。
【００１７】
ＣＤドライブ１は、ディスクドライブ１０１、光ディスク制御器（以下、ＯＤＣと称す）１０２、再生速度切替機１０３およびドライブシステムコントローラ１０４を含む。ＣＤドライブ１は、光ディスク（ここでは、ＣＤ）からＣＤデータＳｃｄを読み出してＯＤＣ１０２に出力する。
【００１８】
ドライブシステムコントローラ１０４は、オペレーションコントローラ３から指示された再生速度でディスクを再生させるために、当該再生速度に対応する回転速度を表す回転速度指示信号Ｓｒｎを生成して、再生速度切替器１０３に出力する。
【００１９】
再生速度切替器１０３は、回転速度指示信号Ｓｒｎに基づいて、ディスクドライブ１０１を、オペレーションコントローラ３から指示された再生速度に対応した速度で回転させる。つまり、ＣＤの場合はＣＬＶ制御のために、データの読出速度である読出位置における線速度がオペレーションコントローラ３の指示再生速度になるように、半径方向上の位置に関して回転速度は制御される。再生速度切替器１０３は、ＣＤからデータを読み出している速度を表す読出速度信号Ｓｒｓを生成して、ＯＤＣ１０２に出力する。
【００２０】
ＯＤＣ１０２は、読出速度信号Ｓｒｓに基づいて、ディスクドライブ１０１から入力されるＣＤデータＳｃｄから、オーディオデータ（或いはコンピュータ用コンテンツデータ）ＳａｄとサブコードＳｓｂとを取り出して書込読出器２０１等に出力する。
【００２１】
ＭＤドライブ２は、書込読出器２０１、ＭＤディスク２０２およびＭＤシステムコントローラ２０３を含む。なお、ＭＤドライブ２には、さらに、ＭＤディスク２０２を回転させる駆動手段およびその関連の部材も含まれるが、それらは本発明の特徴とするものではないので説明を省く。
【００２２】
ＭＤドライブ２は、ＣＤドライブ１から入力されるＣＤから読み出し再生されたオーディオデータＳａｄおよびサブコードＳｓｂを、ＭＤ用のオーディオデータＳＡａｄおよびサブコードＳＡｓｂに変換して、ＭＤディスク２０２に書込む。また、ＭＤドライブ２は、変換したオーディオデータＳＡａｄを音声データレベル検出器２０３−１に出力し、サブコードＳＡｓｂを記録トラック番号検出器２０３−２に出力する。ＭＤシステムコントローラ２０３は、オペレーションコントローラ３からの指示に応じて、書込読出器２０１のＭＤディスク２０２に対する書込を制御する。
【００２３】
ここで、ＭＤシステムコントローラ２０３は、音声データレベル検出器２０３−１および記録トラック番号検出器２０３−２を含む。当該音声データレベル検出器２０３−１は、書込読出器２０１から出力されるオーディオデータＳＡａｂの音声のピーク値を検出する。それでは、以下に、当該音声データレベル検出器２０３−１の当該音声のピーク値の検出について説明する。
【００２４】
オーディオデータＳＡａｄは、１／７５秒分の音楽データを単位データとして、書込読出器２０１から音声データレベル検出器２０３−１に対して出力される。応じて、当該音声データレベル検出器２０３−１は、オーディオデータＳＡａｄの単位データ中で最も音声データのレベルが高いときのレベル値を、上記音声のピーク値として検出する。
【００２５】
記録トラック番号検出器２０３−２は、書込読出器２０１から出力されるサブコードＳＡｓｂを参照して、ＭＤディスク２０２に記録されている最中のトラック番号が変化したか否かを判定する。それでは、当該記録トラック番号検出器２０３−２によるトラック変化の検出方法について図面を参照しながら説明する。図２は、本実施形態に係るサブコードＳＡｓｂの構成を示した図である。また、図３は、当該サブコードＳＡｓｂに対応するトラック番号の変化、インデックスの変化および絶対時間（ＡＴＩＭＥ）の変化を示した図である。
【００２６】
まず、サブコードＳＡｓｂについて説明する。なお、当該サブコードＳＡｓｂは、ＭＤ用のサブコードであるが、原則的には、ＣＤ用のサブコードＳｓｂと類似の構成を取っているのでＣＤのサブコード情報を代表として説明する。当該サブコードＳＡｓｂは、図２に示されるように、トラック番号４００、インデックス４０１、トラック内での経過時間の分（ＭＩＮ）４０２、トラック内での経過時間の秒（Ｓｅｃ）４０３、トラック内でのフレーム番号（ＦＲＡＭＥ）４０４、ゼロ４０５、絶対時間（ＡＴＩＭＥ）の分（ＡＭＩＮ）４０６、絶対時間（ＡＴＩＭＥ）の秒（ＡＳＥＣ）および絶対時間（ＡＴＩＭＥ）のフレーム番号（ＡＦＲＡＭＥ）４０８を備える。
【００２７】
トラック番号４００は、データの属するトラック番号を示し、２ディジットのＢＣＤ（Ｂｉｎａｒｙ  Ｃｏｄｅｄ  Ｄｅｃｉｍａｌ）で表現される。インデックス４０１は、トラックを細分化したものであり、２ディジットのＢＣＤで表現される。図３の中段には、当該インデックス４０１の変化の様子が示されている。インデックス４０１が「００」の部分は、トラックとトラックとの間のＰａｕｓｅの部分を示している。また、インデックス４０１は、トラック内では、「０１」から始まり、トラック内の楽曲が進行するにつれて、インクリメントする。また、当該インデックス４０１は、リードアウトでは、「ＡＡ」となる。
【００２８】
ＭＩＮ４０２、ＳＥＣ４０３およびＦＲＡＭＥ４０４は、トラック内での経過時間を示しており、６ディジットのＢＣＤで表現される。ゼロ４０５は、８ビット間「０」のデータが続く部分である。
【００２９】
絶対時間（ＡＴＩＭＥ）は、ＡＭＩＮ４０６、ＡＳＥＣ４０７およびＡＦＲＡＭＥ４０８を含んでおり、当該ディスク内での絶対的な位置を表す時間を示し、６ディジットのＢＣＤにより表現される。図３の下段は、ＡＴＩＭＥが増加していることを、可視化した図である。
【００３０】
それでは、以下に、当該記録トラック番号検出器２０３−２によるトラック変更の検出方法について説明する。当該記録トラック番号検出器２０３−２は、書込読出器２０１から出力されてくるサブコードＳＡｓｂのインデックス４０１を検出することで、トラック変更の検出を行っている。より具体的には、当該記録トラック番号検出器２０３−２は、トラック番号４００が変化し、かつインデックス４０１が「０１」になった場合には、ＭＤディスク２０２で記録されているトラックが変更されたと判断する。これは、図３に示されるように、トラックが切り替わるときに、インデックスが「０１」になり、又インデックスが「００」の部分が存在しないこともあるからである。
【００３１】
次に、オペレーションコントローラ３について説明する。当該オペレーションコントローラ３は、再生トラック番号検出器３０１、再生位置検出器３０２、音声データレベル判定器３０３および再生速度切替可否判断器３０４を含み、ＣＤドライブ１、ＭＤドライブ２、高速録音キー４および表示部５に接続されて、当該録音装置全体の動作を制御する。
【００３２】
再生位置検出器３０２は、ドライブシステムコントローラ１０４から出力されるサブコードＳｓｂの絶対時間ＡＴＩＭＥを参照して、ディスクの再生時間が所定時間に到達したか否かを判定する。再生トラック番号検出器３０１は、ディスクの再生位置が所定位置に到達した場合に、ＣＤドライブ１が再生しているトラックが変化したか否かを、ドライブシステムコントローラ１０４から出力されるサブコードＳｓｂのトラック４００とインデックス４０１とを参照して判定し、その判定結果を再生速度切替可否判断器３０４に出力する。
【００３３】
ここで、上記所定時刻について図面を参照しながら説明する。図４は、４倍速でディスクを再生させた場合および６倍速でディスクを再生させた場合において、当該ディスクの再生位置と、その再生位置におけるディスク回転数との関係を示したグラフである。なお、ここでは、６倍速の再生速度を保証するために、モータ回転数として７倍速の値が用いられている。
【００３４】
まず、本実施形態に係るブラシモーターの保証回転数は、図４の点線に示されるように２７００ｒｐｍである。しかし、ディスク内周付近において、６倍速による再生を行うために必要な回転数は、２７００ｒｐｍ以上である。そこで、本実施形態に係る録音装置は、高回転数が必要となるディスク内周部分では、４倍速でディスクの再生を行う。その後時間が経過して、ディスクの回転数が２７００ｒｐｍ以下で６倍速の再生が可能な位置に再生位置が到達し、かつ、トラックの切り替わる位置に再生位置が到達した場合には、当該録音装置は、６倍速での再生に再生モードを切替える。
【００３５】
そこで、２７００ｒｐｍの回転数で６倍速による再生が可能な再生位置を、以下に算出する。ここで、本実施形態に係るディスクは、ＣＬＶ方式による記録がなされている。その為、ディスクの回転時の線速度は、１．４ｍ／ｓで一定であるとする。また、ディスクの回転速度は、６倍速の再生を保証するために、７倍速の値で回転させられている。さらに、データが書き込まれている先頭部分の半径は、ディスク中心から２５ｍｍである。さらに、トラックピッチは、０．００１６ｍｍとしている。以上の条件において、６倍速再生時に、ディスクの回転数が２７００ｒｐｍになるディスク中心からの位置は、以下の式（１）で表される。
【００３６】
【数１】
2004303297.tif 000003
【００３７】
上記式（１）に、上述した条件を当てはめると、６倍速の再生時において、ディスクの回転速度が２７００ｒｐｍに到達するのは、ディスクの中心から３４．７ｍｍの位置である。そこで、ディスクの中心から３４．７ｍｍの位置が、絶対時間の何分に相当するのかを、以下に算出する。ここで、ディスクの中心からの位置と絶対時間との関係は、以下の式（２）で示される。
【００３８】
【数２】
2004303297.tif 000004
【００３９】
上記式（２）に、上述した条件を当てはめると、ディスクの中心から３４．７ｍｍの位置は、絶対時間で１３．５分の位置である。そこで、本実施形態では、上記所定時間の一例として、１３．５分を用いる。
【００４０】
ここで、音声データレベル判定器３０３は、音声データレベル検出器２０３−１が検出した音声データのピーク値の内、直近の２００ｍｓ分を内部のメモリに格納する。そして、当該音声データレベル判定器３０３は、記録トラック番号検出器２０３−２からＭＤシステム２が記録中のトラックが変更されたことを通知され、かつ、再生位置検出器３０２から、ディスクの再生位置が所定時刻に達し、ＣＤドライブ１が再生しているトラックが切り替わったことを通知された場合には、上記内部のメモリに格納された音声データのピーク値を参照して、２００ｍｓ間無音状態であったか否かを判定する。当該再生速度切替可否判断器３０４は、２００ｍｓ間無音状態が続いていると判定した場合には、ＣＤドライブ１のドライブシステムコントローラ１０４に対して、ディスクの再生速度を切替えるように指示を出す。
【００４１】
以上のように構成された録音装置について、以下に動作を説明する。なお、本実施形態で示す各処理は、コンピュータを用いてソフトウェア的に実現するか、あるいはそれら各処理を行う専用のハードウェア回路を用いて実現することができる。
【００４２】
それでは、以下に、本実施形態に係る録音装置において、４倍速による高速録音が開始され、録音途中で６倍速による高速録音に録音速度が切替えられる場合について、図面を参照しながら説明する。図５は、上記動作が行われているときの本実施形態に係る録音装置で行われる処理を示したフローチャートである。
【００４３】
本処理は、ユーザが高速録音キー４を押すことにより開始される。そこで、オペレーションコントローラ３は、高速録音キー４がＯＮにされたか否かを判定しながら待機している（ステップＳ２）。高速録音キー４がＯＮにされた場合には、本処理は、ステップＳ４に進む。一方、高速録音キー４がＯＮにされていない場合には、本処理は、ステップＳ２に戻る。
【００４４】
高速録音キー４がＯＮにされた場合、オペレーションコントローラ３は、ＭＤシステムコントローラ２０３に対して４倍速に対応したＭＤの録音を開始させると共に、ドライブシステムコントローラ１０４に対してディスクの４倍速の高速再生を開始させる（ステップＳ４）。
【００４５】
すなわち、ドライブシステムコントローラ１０４は、４倍速でディスクを再生させるために、当該再生速度に対応する回転速度を表す回転速度指示信号Ｓｒｎを生成して、再生速度切替器１０３に出力する。応じて、再生速度切替器１０３は、回転速度指示信号Ｓｒｎに基づいて、読出速度信号Ｓｒｓを作成し、ＯＤＣ１０２に出力することで、ディスクドライブ１０１を、４倍速に対応した速度で回転させる。応じて、ＯＤＣ１０２は、読出速度信号Ｓｒｓに基づいて、ディスクドライブ１０１から入力されるＣＤデータＳｃｄから、オーディオデータＳａｄとサブコードＳｓｂとを取り出して書込読出器２０１に出力する。また、ＯＤＣ１０２は、サブコードＳｓｂをドライブシステムコントローラ１０４に出力する。さらに、ＯＤＣ１０２から出力されたサブコードＳｓｂは、再生トラック番号検出器３０１および再生位置検出器３０２に対して出力される。これにより、ＣＤドライブ１は、４倍速によるディスクの再生を開始する。
【００４６】
一方、ＭＤシステムコントローラ２０３は、書込読出器２０１に対して、４倍速対応の録音を開始させる。これにより、書込読出器２０１は、ＯＤＣ１０２から出力されてくるオーディオデータＳａｄおよびサブコードＳｓｂを、ＭＤ用のフォーマットのオーディオデータＳＡａｄおよびサブコードＳＡｓｂに変換して、これらをＭＤディスク２０２に４倍速で書き込む。さらに、当該オーディオデータＳａｄは、音声データレベル検出器２０３−１に対しても出力され、当該サブコードＳＡａｂは、記録トラック番号検出器２０３−２に対しても出力される。音声データレベル検出器２０３−１は、取得しているオーディオデータＳＡａｄの音声データのピーク値を検出して、音声データレベル判定器３０３に対して出力する。応じて、音声データレベル判定器３０３は、出力されてきた上記音声データのピーク値を自機の内部のメモリに格納する。
【００４７】
なお、ＯＤＣ１０２がオーディオデータＳａｄおよびサブコードＳｓｂの出力をする動作から、音声データレベル判定器３０３が音声データのピーク値を格納する動作までの動作は、高速録音が行われている間において、上記録音装置で継続的に行われている。
【００４８】
次に、ドライブシステムコントローラ１０４は、ディスクに含まれる全トラックの再生が終了したか否かを判定する（ステップＳ６）。全トラックの再生が終了した場合には、本処理はステップＳ８に進む。一方、全トラックの再生が終了していない場合には、本処理はステップＳ９に進む。
【００４９】
全トラックの再生が終了した場合には、ドライブシステムコントローラ１０４は、オペレーションコントローラ３にその旨を通知する。応じて、オペレーションコントローラ３は、ドライブシステムコントローラ１０４に対して、ディスクの再生停止を指示すると共に、ＭＤシステムコントローラ２０３に対してＭＤの録音を停止させることを指示する。これにより、ＣＤドライブ１のディスクの再生が停止し、ＭＤシステム２のＭＤの録音が停止する（ステップＳ８）。
【００５０】
一方、全トラックの再生が終了していない場合には、ドライブシステムコントローラ１０４は、オペレーションコントローラ３に対して、その旨を通知する。応じて、当該ドライブシステムコントローラ１０４の再生位置検出器３０２は、ドライブシステムコントローラ１０４から出力されてきているサブコードＳｓｂを参照して、ディスクの再生位置を示す時間が１３．５分を経過したか否かを判定する（ステップＳ９）。当該処理は、サブコードＳｓｂの絶対時間ＡＴＩＭＥが１３．５分を経過しているか否かにより判定される。ここで、ディスクの再生時間が１３．５分を経過している場合には、本処理は、ステップＳ１２に進む。一方、ディスクの再生時間が１３．５分を経過していない場合には、本処理はステップＳ６に戻る。
【００５１】
ディスクの再生時間が１３．５分を経過している場合には、再生位置検出器３０２は、再生トラック番号検出器３０１に対してその旨を通知する。応じて、再生トラック番号検出器３０１は、ドライブシステムコントローラ１０４から出力されてきているサブコードＳｓｂを参照して、再生中のトラックの番号が変化したか否かを判定する（ステップＳ１０）。当該処理は、再生時間が１３．５分を経過した後に、再生トラックが新たなトラックに移ったか否かを判定する処理である。なお、当該判定は、上述したように、サブコードＳｓｂのトラック４００が変化し、かつインデックス４０１が「０１」になったか否かによって行われる。ここで、再生中のトラックの番号が変化した場合には、本処理は、ステップＳ１２に進む。一方、再生中のトラックの番号が変化していない場合には、本処理はステップＳ６に戻る。
【００５２】
再生中のトラックの番号が変化した場合には、再生トラック番号検出器３０１は、記録トラック番号検出器２０３−２および再生速度切替可否判断器３０４にに対して、その旨を通知する。応じて、記録トラック番号検出器２０３−２は、書込読出器２０１から出力されているサブコードＳＡｓｂのトラック番号４００を参照して、書込読出器２０１がＭＤディスク２０２に対して現在記録しているトラックの番号が、変化したか否かを判定する（ステップＳ１４）。トラックの番号が変化した場合には、本処理はステップＳ１６に進む。一方、トラックの番号が変化していない場合には、本処理は再度ステップＳ１４の処理を行う。
【００５３】
ＭＤの記録中のトラック番号が変化した場合には、記録トラック番号検出器２０３−２は、音声データレベル判定器３０３に対してその旨を通知する。応じて、音声データレベル判定器３０３は、内部のメモリに格納されているＭＤの記録トラック変化直前の２００ｍｓ間が無音状態であるか否かを判定し、その結果を再生速度切替可否判断器３０４に対して出力する（ステップＳ１６）。これにより、再生速度切替可否判断器３０４は、当該結果を取得する。記録トラックの変化直前における２００ｍｓ間が無音状態である場合には、本処理はステップＳ１８に進む。一方、記録トラックの変化直前における２００ｍｓ間が無音状態でない場合には、本処理はステップＳ６に戻る。
【００５４】
記録トラックの変化直前における２００ｍｓ間が無音状態である場合、オペレーションコントローラ３は、ＭＤシステムコントローラ２０３に対して、録音を一時停止させると共に、これまでに録音した部分を確定させる（ステップＳ１８）。これにより、ＭＤディスクシステム２での録音が一時停止されると共に、ＭＤディスク２０２にすでに記録された部分のデータが確定する。
【００５５】
次に、オペレーションコントローラ３は、ドライブシステムコントローラ１０４に対して、再生速度を４倍速から６倍速に切替えるように指示を行う。応じて、ドライブシステムコントローラ１０４は、ディスクの再生速度を４倍速から６倍速に切替える（ステップＳ２０）。より具体的には、ドライブシステムコントローラ１０４は、６倍速でディスクを再生させるために、当該再生速度に対応する回転速度を表す回転速度指示信号Ｓｒｎを生成して、再生速度切替器１０３に出力する。応じて、再生速度切替器１０３は、回転速度指示信号Ｓｒｎに基づいて、読出速度信号Ｓｒｓを作成し、ＯＤＣ１０２に出力することで、ディスクドライブ１０１を、６倍速に対応した速度で回転させる。
【００５６】
一方、ＭＤシステムコントローラ２０３は、書込読出器２０１に対して、６倍速対応の録音を開始させる（ステップＳ２２）。次に、ドライブシステムコントローラ１０４は、ステップＳ１８で録音が確定したトラックの次のトラックから、ディスクの６倍速再生を開始する（ステップＳ２４）。なお、図３に示されるトラックの場合、１３．５分を経過後、トラックの切り替わりが発生するのは、トラック３の最初である１６分２８秒６３フレームの位置、トラック４の最初である２４分４２秒１５フレームの位置、トラック５の最初である３６分１９秒５５フレームの位置またはトラック６の最初である４９分１０秒３３フレームの位置である。ここで、例えば、トラック２とトラック３との間で２００ｍｓの無音状態が存在する場合には、図６に示されるように、１６分２８秒において、ディスクの再生速度が４倍速から６倍速に切替えられる。
【００５７】
次に、ＯＤＣ１０２は、自機の内部メモリにおいてアンダーランが発生したか否かを判定する（ステップＳ２６）。すなわち、当該ステップにおいて、ＯＤＣ１０２に入力してくるデータ量よりも、ＯＤＣ１０２から出力するデータ量が多いことにより、当該ＯＤＣ１０２の内部メモリが空になったか否かが判定される。アンダーランが発生していない場合には、本処理はステップＳ２８に進む。アンダーランが発生している場合には、本処理はステップＳ３０に進む。
【００５８】
アンダーランが発生していない場合には、ドライブシステムコントローラ１０４は、再生中のディスクの全トラックの再生が終了したか否かを判定する（ステップＳ２８）。全トラックの再生が終了した場合には、本処理はステップＳ８に進み、ディスクの再生および録音を終了する。全トラックの再生が終了していない場合には、本処理はステップＳ２６に戻る。すなわち、ステップＳ２６および２８では、ドライブシステムコントローラ１０４が、録音が終了するまでの間、アンダーランの発生が発生したか否かを繰り返し判定している。
【００５９】
一方、アンダーランが発生している場合には、ドライブシステムコントローラ１０４は、アンダーランが発生していることをオペレーションコントローラ３を介して、ＭＤシステムコントローラ２０６に通知する。応じて、ＭＤシステムコントローラ２０６は、書込読出器２０１に、６倍速に切替えた後からＭＤディスク２０２に録音した部分を廃棄させる（ステップＳ３０）。
【００６０】
次に、オペレーションコントローラ３は、ドライブシステムコントローラ１０４に対して、再生速度を６倍速から１倍速に切替えるように指示を行う。応じて、ドライブシステムコントローラ１０４は、ディスクの再生速度を６倍速から１倍速に切替える（ステップＳ３２）。より具体的には、ドライブシステムコントローラ１０４は、１倍速でディスクを再生させるために、当該再生速度に対応する回転速度を表す回転速度指示信号Ｓｒｎを生成して、再生速度切替器１０３に出力する。応じて、再生速度切替器１０３は、回転速度指示信号Ｓｒｎに基づいて、読出速度信号Ｓｒｓを作成し、ＯＤＣ１０２に出力することで、ディスクドライブ１０１を、１倍速に対応した速度で回転させる。
【００６１】
次に、ＭＤシステムコントローラ２０３は、書込読出器２０１に対して、１倍速対応の録音を開始させる（ステップＳ３４）。次に、ドライブシステムコントローラ１０４は、ステップＳ１８で録音を確定させたトラックの次のトラックから、ディスクの１倍速再生を開始する（ステップＳ３６）。これにより、ディスクの再生速度が６倍から１倍に切替えられる。
【００６２】
次に、ドライブシステムコントローラ１０４は、ディスクの全トラックの再生が終了したか否かを判定する（ステップＳ３８）。全トラックの再生が終了していない場合には、ステップＳ３８を再度行う。一方、全トラックの再生が終了した場合には、本処理はステップＳ８に進み、録音の終了処理を行う。以上で、本実施形態に係る録音装置において、４倍速による高速録音が開始され、録音途中で６倍速による高速録音に録音速度が切替えられる場合についての説明を終了する。
【００６３】
以上のように、本実施形態に係る録音装置によれば、ブラシモータの保証回転数よりも高い回転数が使用されないので、装置の寿命を長く確保した上での高速録音動作が可能となる。
【００６４】
また、本実施形態に係る録音装置によれば、再生速度の切替が、トラックの切り替わるところであって、かつ無音状態であるところで行われるので、当該再生速度の切替時に発生するＭＤディスクの記録データの音途切れが防止される。
【００６５】
また、本実施形態に係る録音装置によれば、モータの回転数が所定回転数以上にならないので、モータに安価なブラシレスモータを適用することができ、装置全体のコスト削減が図られる。
【００６６】
また、ＯＤＣにおいて、アンダーランが発生した場合であっても、ディスクの再生速度が１倍速に切替えられるので、アンダーランによる録音の音途切れがなくなる。
【００６７】
また、所定時間以上の無音状態が存在するか否かの判断が、オーディオデータのピーク値で判断されるので、オーディオデータに含まれる全ての信号強度を検出する必要がなくなる。その結果、当該録音装置内での処理負担等が軽減される。
【００６８】
ここで、本実施形態では、オペレーションコントローラがＣＤドライブから出力されたサブコードの絶対時間ＡＴＩＭＥに基づいて、ディスクの再生時間が所定時間を経過したか否かを判定していたが、所定時間が経過したか否かの判定の方法は、これに限らない。
【００６９】
そこで、以下に記載の第２の実施形態では、サブコードの絶対時間ＡＴＩＭＥを用いないで、ディスクの再生時間が所定時間を経過したか否かを判定する録音装置について説明する。
【００７０】
（第２の実施形態）
以下に、本発明の第２の実施形態に係る録音装置について、図面を参照しながら説明する。図７は、本実施形態に係る録音装置の構成を示したブロック図である。
【００７１】
本実施形態に係る録音装置は、第１の実施形態と同様に、ＣＤドライブ１、ＭＤドライブ２およびオペレーションコントローラ３を備える。なお、これらのものについては、第１の実施形態と略同様であるので、説明は省略する。そこで、以下に、第１の実施形態と異なる動作を行うものについて説明する。
【００７２】
本実施形態に係る録音装置は、ＯＤＣ１０２およびドライブシステムコントローラ１０４の動作が異なる。より具体的には、第１の実施形態に係るＯＤＣ１０２は、ディスクの高速再生時において、ドライブシステムコントローラ１０４に対して、サブコードＳｓｂを出力するものとしているが、本実施形態に係るＯＤＣ１０２は、サブコードＳｓｂと共にＴＯＣ（Ｔａｂｌｅ  ｏｆ  Ｃｏｎｔｅｎｔｓ）情報も出力する。そして、ドライブシステムコントローラ１０４は、アドレス検出器５０２に対して、ＴＯＣ情報を出力する。応じて、アドレス検出器５０２は、当該ＴＯＣ情報を格納する。
【００７３】
それでは、上記ＴＯＣ情報について、図面を用いて説明する。図８は、ＴＯＣ情報の構成の一例を示した図である。
【００７４】
当該ＴＯＣ情報は、フレーム番号、Ｐｏｉｎｔ、ＰＭＩＮ、ＰＳＥＣおよびＰＦＲＡＭＥを備える。当該ＴＯＣ情報は、ディスクに格納されており、ディスクドライブ１０１により読み出され、ＯＤＣ１０２に対して出力されるものである。
【００７５】
フレーム番号は、当該ＴＯＣ情報中でのフレームの番号を示している。Ｐｏｉｎｔは、数字のみの場合には、トラックの番号を示す。また、ＰｏｉｎｔがＡ０の場合には、そのフレームには、最初のトラックの番号の情報が含まれていることを示す。また、ＰｏｉｎｔがＡ１の場合には、そのフレームには、最後のトラックの番号の情報が含まれていることを示す。また、ＰｏｉｎｔがＡ２の場合には、そのフレームには、当該ディスクに記録されているトータルの時間の情報が含まれていることを示す。また、ＰＭＩＮは、各トラックの始まる時間の情報の内、分の情報が含まれる。ＰＳＥＣは、各トラックの始まる時間の情報の内、秒の情報が含まれる。ＰＦＲＡＭＥは、各トラックの始まる時間の内、フレームの情報が含まれる。
【００７６】
また、本実施形態に係る録音装置は、再生位置検出器３０２がアドレス検出器５０２に置き換えられている点で異なる。さらに、本実施形態に係る録音装置は、再生トラック番号検出器３０１の動作が異なる。より具体的には、当該アドレス検出器５０２は、ドライブシステムコントローラ１０４から出力されてくるＴＯＣ情報を、自機の内部のメモリに格納し、第１の実施形態で説明した所定時間（本実施形態でも１３．５分として説明する）を経過した後の初めてのトラック番号を調べて、再生トラック番号検出器３０１に出力する。再生トラック番号検出器３０１は、再生しているトラックのトラック番号が、アドレス検出器５０２から取得したトラック番号と一致する場合には、再生速度切替可否判断器３０４に対して、その旨を通知する。
【００７７】
以上のように構成された録音装置について、以下に動作を説明する。なお、本実施形態で示す各処理は、コンピュータを用いてソフトウェア的に実現するか、あるいはそれら各処理を行う専用のハードウェア回路を用いて実現することができる。
【００７８】
以下に、本実施形態に係る録音装置において、４倍速による高速録音が開始され、録音途中で６倍速による高速録音に録音速度が切替えられる場合について、図面を参照しながら説明する。図９は、上記動作が行われているときの本実施形態に係る録音装置で行われる処理を示したフローチャートである。なお、第１の実施形態に係る録音装置と同じ動作については、同じステップ番号が付してある。
【００７９】
まず、ステップＳ２は、第１の実施形態と同様であるので、説明を省略する。ステップＳ２において、高速録音キー４がＯＮにされた場合には、本処理はステップＳ１０２に進む。
【００８０】
上記ステップＳ１０２において、ＯＤＣ１０２は、ディスクに格納されているＴＯＣ情報を取得し、ドライブシステムコントローラ１０４を介して、アドレス検出器５０２に対して出力する。当該ＴＯＣ情報を取得したアドレス検出器５０２は、取得したＴＯＣ情報を自機の内部メモリに格納する（ステップＳ１０２）。
【００８１】
次に、アドレス検出器５０２は、取得したＴＯＣ情報のＰＭＩＮ、ＰＳＥＣおよびＰＦＲＡＭＥを参照して、始まりの絶対時間が１３．５分を越える最初のトラックを特定する（ステップＳ１０４）。ここで、図８のＴＯＣ情報では、絶対時間が１３．５分を越える最初のトラックは、トラック３である。そこで、本実施形態では、アドレス検出器５０２は、始まりの絶対時間が１３．５分を越える最初のトラックをトラック３と特定する。この後、アドレス検出器５０２は、特定したトラックのトラック番号を再生トラック番号検出器３０１に対して出力する。応じて、再生トラック番号検出器３０１は、当該トラック番号を自機の内部メモリに格納する。
【００８２】
この後、本処理は、ステップＳ４に進むが、ステップＳ４からステップＳ１０は、第１の実施形態と同様であるので、説明を省略する。
【００８３】
ステップＳ１０６において、再生トラック番号検出器３０１は、ドライブシステムコントローラ１０４から出力されてくるサブコードＳｓｂのトラック番号４００とインデックス４０１とを参照して、ＣＤドライブ１が再生しているトラック番号を特定する。そして、再生トラック番号検出器３０１は、特定したトラック番号と、ステップＳ１０２において格納したトラック番号とが一致するか否かを判定する（ステップＳ１０６）。当該処理は、ディスクの再生開始から１３．５分経過した後に、新たなトラックの再生が始まったか否かを判定するものである。なお、本実施形態では、上述したように、ＣＤドライブ１が再生しているトラックがトラック３であるかどうかを判定する。両トラック番号が一致する場合には、本処理はステップＳ１６に進む。一方、両トラック番号が一致しない場合には、本処理はステップＳ６に戻る。
【００８４】
この後、ステップＳ１６からステップＳ３８で行われる処理は、第１の実施形態と同様であるので、説明を省略する。
【００８５】
以上のように、本実施形態に係る録音装置では、上記第１の実施形態と同様の効果を得ることができると共に、録音速度の切替判断に必要なディスクの再生位置が所定位置に到達後、新たなトラックの再生が開始されたか否かの判定がＴＯＣ情報を用いて行うことができる。
【００８６】
ここで、上記、第１の実施形態および第２の実施形態では、音声データのピーク値は、ＭＤシステムコントローラ内で検出されていたが、当該音声データのピーク値の検出が行われるのは、ＭＤシステムコントローラ内に限らない。
【００８７】
そこで、以下に示す第３の実施形態では、ＭＤシステムコントローラ以外の場所で、音声データのピーク値が検出される録音装置について説明する。
【００８８】
（第３の実施形態）
以下に、本実施形態に係る録音装置について図面を参照しながら説明する。図１０は、当該録音装置の構成を示したブロック図である。
【００８９】
本実施形態に係る録音装置は、第１の実施形態に係る録音装置と同様に、ＣＤドライブ１、ＭＤドライブ２、オペレーションコントローラ３、高速録音キー４および表示器５を備える。各部が行う動作は、第１の実施形態と略同様であるので、ここでは、第１の実施形態と異なる点について説明する。
【００９０】
まず、本実施形態に係る録音装置と、第１の実施形態に係る録音装置とは、音声データレベル検出器６０１が設けられた場所が異なる。より具体的には、第１の実施形態に係る録音装置では、音声データレベル検出器２０３−１は、ＭＤシステムコントローラ２０３内に設けられていたが、本実施形態に係る音声データレベル検出器６０１は、ＣＤドライブ１内に設けられている。それでは、以下に、当該音声データレベル検出器６０１が行う動作について説明する。
【００９１】
当該音声データレベル検出器６０１は、ＯＤＣ１０２から出力されてくるオーディオデータＳａｄから音声データのピーク値を検出し、音声データレベル判定器３０３に出力する。なお、音声データのピーク値は、第１の実施形態と同様であるので説明を省略する。
【００９２】
また、本実施形態に係る録音装置と、第１の実施形態に係る録音装置とは、音声データレベル判定器３０３が内部のメモリに格納するデータが異なる。より具体的には、第１の実施形態に係る録音装置では、音声データレベル判定器２０３−１は、ＭＤドライブ２から出力されてくるオーディオデータＳＡａｄの音声データのピーク値を２００ｍｓ蓄積していたが、本実施形態に係る録音装置では、音声データレベル判定器３０３は、ＣＤドライブ１から出力されるオーディオデータＳａｄの音声データのピーク値を２００ｍｓ蓄積している。そして、本実施形態に係る音声データレベル判定器３０３は、当該オーディオデータＳａｄの音声データのピーク値を用いて、無音状態であるか否かの判定を行っている。
【００９３】
以上のように構成された録音装置について、以下に動作を説明する。なお、本実施形態で示す各処理は、コンピュータを用いてソフトウェア的に実現するか、あるいはそれら各処理を行う専用のハードウェア回路を用いて実現することができる。
【００９４】
それでは、以下に、本実施形態に係る録音装置において、４倍速による高速録音が開始され、録音途中で６倍速による高速録音に録音速度が切替えられる場合について、図面を参照しながら説明する。図１１は、上記動作が行われているときの本実施形態に係る録音装置で行われる処理を示したフローチャートである。なお、第１の実施形態に係る録音装置と同じ動作については、同じステップ番号が付してある。
【００９５】
まず、ステップＳ２〜ステップＳ１０までに行われる動作は、第１の実施形態と同様であるので、説明を省略する。
【００９６】
ステップＳ２００において、音声データレベル判定器３０３は、自機の内部メモリに格納している再生トラックが切り替わる直前の２００ｍｓ分の音声データのピーク値を参照して、当該２００ｍｓ間が無音状態であるか否かを判定する（ステップＳ２００）。無音状態である場合には、本処理はステップＳ２０２に進む。無音状態でない場合には、本処理は、ステップＳ６に戻る。
【００９７】
無音状態である場合には、音声データレベル判定器３０３は、記録トラック番号検出器２０３−１に対して、その旨を通知する。応じて、記録トラック番号検出器２０３−２は、書込読出器２０１から出力されてくるサブコードＳＡｓｂを参照して、書込読出器２０１がＭＤディスク２０２に書き込み中のデータのトラックが変化したか否かを判定する（ステップＳ２０２）。当該処理は、ＭＤディスク２０２への書込み中に再生速度が切り替わって、ＭＤディスク２０２に書き込まれたデータに音途切れが発生することを防止するためである。なお、当該処理は、第１の実施形態のステップＳ１４と同じ処理によって行われる。トラックが変化した場合には、本処理はステップＳ１８に進む。トラックが変化していない場合には、本処理は再度ステップＳ２０２を行う。
【００９８】
トラックが変化した場合には、記録トラック番号検出器２０３−２は、オペレーションコントローラ３を介して、トラックが変化した旨をドライブシステムコントローラ１０４に通知する。この後、ステップＳ１８に進み、第１の実施形態と同様の処理が行われる。以上、本実施形態に係る録音装置において、４倍速による高速録音が開始され、録音途中で６倍速による高速録音に録音速度が切替えられる場合についての説明を終了する。
【００９９】
以上のように、本実施形態に係る録音装置によれば、第１の実施形態に係る録音装置と同様の効果を得ることができる。
【０１００】
また、本実施形態に係る録音装置によれば、音声データのピーク値の検出が、ＣＤドライブで行われるので、ＭＤドライブ２での処理負担が軽減される。
【０１０１】
なお、本実施形態に係る録音装置は、第１の実施形態と同様に、サブコードＳｓｂに基づいて、高速再生を開始してから１３．５分が経過したか否かが判定されるとしているが、この判定は、第２の実施形態と同様にサブコードＳｓｂの代わりにＴＯＣ情報で行われても良い。この場合、第２の実施形態と同様に、再生位置検出器３０２がアドレス検出器５０２に置き換えられる。
【０１０２】
なお、第１の実施形態〜第３の実施形態では、高速再生の倍率は、４倍と６倍としているが、これらの倍率は、４倍と６倍とに限らない。
【０１０３】
なお、第１の実施形態〜第３の実施形態では、再生速度の切替は、トラックとトラックと間で切替えられるものとしているが、当該再生速度の切替が行われる場所は、これに限らない。より具体的には、トラックとトラックとの間に存在するインデックスが「００」となっている部分において、２００ｍｓの無音状態がある場合には、再生速度が切替えられるものとされてもよい。
【０１０４】
なお、第１の実施形態〜第３の実施形態では、再生側の光ディスクをＣＤとし、録音側の光ディスクをＭＤとしているが、それぞれに用いられるディスクはこれに限らない。また、再生側の装置は、ＣＤドライブであるとしているが、ＣＤやＤＶＤ等複数の種類のディスクを再生することができるいわゆるコンビネーションドライブであってもよい。
【０１０５】
【発明の効果】
以上のように、本発明の録音装置によれば、ブラシモーターの回転数を保証値以下で回転させつつ、音途切れさせることなく高速録音ができる長寿命の録音装置を提供することができる。
【図面の簡単な説明】
【図１】本発明の第１の実施形態に係る録音装置の構成を示したブロック図である。
【図２】本発明のサブコードの構成を示した図である。
【図３】サブコードに対応するトラック番号の変化、インデックスの変化および絶対時間（ＡＴＩＭＥ）の変化を示した図である。
【図４】４倍速でディスクを再生させた場合および６倍速でディスクを再生させた場合において、当該ディスクの再生位置と、その再生位置におけるディスク回転数との関係を示したグラフである。
【図５】４倍速による高速録音が開始され、録音途中で６倍速による高速録音に録音速度が切替えられる場合において、第１の実施形態に係る録音装置で行われる動作を示したフローチャートである。
【図６】本実施形態に係る録音装置における再生速度の切替わりの様子を示した図である。
【図７】本発明の第２の実施形態に係る録音装置の構成を示したブロック図である。
【図８】ＴＯＣ情報の構成を示した図である。
【図９】４倍速による高速録音が開始され、録音途中で６倍速による高速録音に録音速度が切替えられる場合において、第２の実施形態に係る録音装置で行われる動作を示したフローチャートである。
【図１０】本発明の第３の実施形態に係る録音装置の構成を示したブロック図である。
【図１１】４倍速による高速録音が開始され、録音途中で６倍速による高速録音に録音速度が切替えられる場合において、第３の実施形態に係る録音装置で行われる動作を示したフローチャートである。
【符号の説明】
１  ＣＤドライブ
２  ＭＤドライブ
３  オペレーションコントローラ
４  高速録音キー
５  表示器
１０１  ディスクドライブ
１０２  ＯＤＣ
１０３  再生速度切替器
１０４  ドライブシステムコントローラ
２０１  書込読出器
２０２  ＭＤディスク
２０３  ＭＤシステムコントローラ
２０３−１  音声データレベル検出器
２０３−２  記録トラック番号検出器
３０１  再生トラック番号検出器
３０２  再生位置検出器
３０３  音声データレベル判定器
３０４  再生速度切替可否判断器
４００  トラック番号
４０１  インデックス
４０２  ＭＩＮ
４０３  ＳＥＣ
４０４  ＦＲＡＭＥ
４０５  ゼロ
４０６  ＡＭＩＮ
４０７  ＡＳＥＣ
４０８  ＡＦＲＡＭＥ
５０２  アドレス検出器
６０１  音声データレベル検出器
【図１】
2004303297.tif 000005
【図２】
2004303297.tif 000006
【図３】
2004303297.tif 000007
【図４】
2004303297.tif 000008
【図５】
2004303297.tif 000009
【図６】
2004303297.tif 000010
【図７】
2004303297.tif 000011
【図８】
2004303297.tif 000012
【図９】
2004303297.tif 000013
【図１０】
2004303297.tif 000014
【図１１】
2004303297.tif 000015